(57)【特許請求の範囲】
【請求項１】
バッテリー管理項目の識別コード割当装置であって、
複数のバッテリー管理項目ごとに固有識別コードを割り当てる固有識別コード割当部、
各々の固有識別コードは、前記バッテリー管理項目の各々に割り当てられたものより少ないビット数を有するものであり、
前記複数のバッテリー管理項目の各々の周期に対応して前記複数のバッテリー管理項目ごとに周期識別コードを割り当てる周期識別コード割当部、及び、
前記複数のバッテリー管理項目間の従属関係に対応して前記複数のバッテリー管理項目ごとに従属識別コードを割り当てる従属識別コード割当部を備えてなり、
前記識別コード割当装置は、
前記バッテリー管理項目の周期と前記従属関係に基づいて前記バッテリー管理項目の遂行順序を定義し、及び、
前記固有識別コード及び前記従属識別コードを比較して複数のバッテリー管理項目遂行を順序化することにより構成されてなり、
前記バッテリー管理項目は、第１グループ及び第２グループに割り当てられてなり、
前記第１グループは、バッテリーの物理量を測定する少なくとも１つのバッテリー状態測定項目であり、及び、
前記第２グループは、前記バッテリー状態測定項目により測定されたデータに基づいて前記バッテリーの状態を診断する少なくとも１つのバッテリー状態診断項目であり、及び、
一又は複数の、少なくとも１つのバッテリー状態測定項目と、少なくとも１つのバッテリー状態診断項目とにおける従属関係において、前記バッテリー状態測定項目が前記バッテリー状態診断項目よりも先に順序化されてなることを特徴とする、バッテリー管理項目の識別コード割当装置。
【請求項２】
前記従属識別コード割当部は、
前記複数のバッテリー管理項目のうち第２バッテリー管理項目が第１バッテリー管理項目に従属する場合、前記第１バッテリー管理項目の固有識別コードを前記第２バッテリー管理項目の従属識別コードに割り当てることを特徴とする、請求項１に記載のバッテリー管理項目の識別コード割当装置。
【請求項３】
前記周期識別コード割当部は、
前記第１グループ及び前記第２グループの固有識別コードおよび前記複数のバッテリー管理項目の周期のうち１つ以上を用いて前記複数のバッテリー管理項目ごとに周期識別コードを割り当てることを特徴とする、請求項１に記載のバッテリー管理項目の識別コード割当装置。
【請求項４】
バッテリー管理項目の順序化装置であって、
複数のバッテリー管理項目ごとに固有識別コードを割り当てる固有識別コード割当部、
各々の固有識別コードは、前記バッテリー管理項目の各々に割り当てられたものより少ないビット数を有するものであり、
前記複数のバッテリー管理項目の各々の周期に対応して前記複数のバッテリー管理項目ごとに周期識別コードを割り当てる周期識別コード割当部、
前記複数のバッテリー管理項目間の従属関係に対応して前記複数のバッテリー管理項目ごとに従属識別コードを割り当てる従属識別コード割当部、並びに、
前記バッテリー管理項目の遂行順序は、前記バッテリー管理項目の周期と前記従属関係に基づいて定義されてなり、
前記固有識別コードと前記従属識別コードを比較して前記複数のバッテリー管理項目の遂行順序を順序化する設定部を備えてなり、
前記バッテリー管理項目は、第１グループ及び第２グループに割り当てられてなり、
前記第１グループは、バッテリーの物理量を測定する少なくとも１つのバッテリー状態測定項目であり、及び、
前記第２グループは、前記バッテリー状態測定項目により測定されたデータに基づいて前記バッテリーの状態を診断する少なくとも１つのバッテリー状態診断項目であり、及び、
一又は複数の、少なくとも１つのバッテリー状態測定項目と、少なくとも１つのバッテリー状態診断項目とにおける従属関係において、前記バッテリー状態測定項目が前記バッテリー状態診断項目よりも先に順序化されてなることを特徴とする、バッテリー管理項目の順序化装置。
【請求項５】
前記従属識別コード割当部は、
前記複数のバッテリー管理項目のうち第２バッテリー管理項目が第１バッテリー管理項目に従属する場合、前記第１バッテリー管理項目の固有識別コードを前記第２バッテリー管理項目の従属識別コードに割り当てることを特徴とする、請求項４に記載のバッテリー管理項目の順序化装置。
【請求項６】
前記設定部は、
前記複数のバッテリー管理項目のうち第１バッテリー管理項目の固有識別コードと第２バッテリー管理項目の従属識別コードを比較し、比較結果値が同一である場合、前記第１バッテリー管理項目を前記第２バッテリー管理項目より先に遂行するように順序化することを特徴とする、請求項４に記載のバッテリー管理項目の順序化装置。
【請求項７】
前記設定部は、
前記第１バッテリー管理項目の固有識別コードと前記第２バッテリー管理項目の従属識別コードを比較した比較結果値が同一でない場合、前記第２バッテリー管理項目の固有識別コードと前記第１バッテリー管理項目の従属識別コードを比較し、比較結果値が同一である場合、前記第２バッテリー管理項目を前記第１バッテリー管理項目より先に遂行するように順序化することを特徴とする、請求項６に記載のバッテリー管理項目の順序化装置。
【請求項８】
バッテリー管理方法であって、
固有識別コード割当部が複数のバッテリー管理項目ごとに固有識別コードを割り当てるステップ、
各々の固有識別コードは、前記バッテリー管理項目の各々に割り当てられたものより少ないビット数を有するものであり、
周期識別コード割当部が前記複数のバッテリー管理項目の各々の周期に対応して前記複数のバッテリー管理項目ごとに周期識別コードを割り当てるステップ、および
従属識別コード割当部が前記複数のバッテリー管理項目間の従属関係に対応して前記複数のバッテリー管理項目ごとに従属識別コードを割り当てるステップ、
前記バッテリー管理項目の周期と前記従属関係に基づいて前記バッテリー管理項目の遂行順序を定義するステップ、並びに、
設定部により、前記固有識別コード及び前記従属識別コードを比較して複数のバッテリー管理項目遂行を順序化するステップを含んでなり、
前記バッテリー管理項目は、第１グループ及び第２グループに割り当てられてなり、
前記第１グループは、バッテリーの物理量を測定する少なくとも１つのバッテリー状態測定項目であり、及び、
前記第２グループは、前記バッテリー状態測定項目により測定されたデータに基づいて前記バッテリーの状態を診断する少なくとも１つのバッテリー状態診断項目であり、及び、
一又は複数の、少なくとも１つのバッテリー状態測定項目と、少なくとも１つのバッテリー状態診断項目とにおける従属関係において、前記バッテリー状態測定項目が前記バッテリー状態診断項目よりも先に順序化されてなることを特徴とする、バッテリー管理方法。
【請求項９】
前記従属識別コードを割り当てるステップは、
前記複数のバッテリー管理項目のうち第２バッテリー管理項目が第１バッテリー管理項目に従属する場合、前記従属識別コード割当部が前記第１バッテリー管理項目の固有識別コードを前記第２バッテリー管理項目の従属識別コードに割り当てるステップを含んでなることを特徴とする、請求項８に記載のバッテリー管理方法。
【請求項１０】
前記周期識別コードを割り当てるステップは、
前記周期識別コード割当部が前記第１グループ及び前記第２グループの固有識別コードおよび前記複数のバッテリー管理項目の周期のうち１つ以上を用いて前記複数のバッテリー管理項目ごとに周期識別コードを割り当てるステップを含んでなることを特徴とする、請求項８に記載のバッテリー管理方法。
【請求項１１】
前記順序化するステップは、
前記設定部が、前記複数のバッテリー管理項目のうち第１バッテリー管理項目の固有識別コードと第２バッテリー管理項目の従属識別コードを比較し、比較結果値が同一である場合、前記第１バッテリー管理項目を前記第２バッテリー管理項目より先に遂行するように順序化するステップを含むことを特徴とする、請求項８に記載のバッテリー管理方法。
【請求項１２】
前記順序化するステップは、
前記設定部が、前記第１バッテリー管理項目の固有識別コードと前記第２バッテリー管理項目の従属識別コードを比較した比較結果値が同一でない場合、前記第２バッテリー管理項目の固有識別コードと前記第１バッテリー管理項目の従属識別コードを比較し、比較結果値が同一である場合、前記第２バッテリー管理項目を前記第１バッテリー管理項目より先に遂行するように順序化するステップをさらに含むことを特徴とする、請求項１１に記載のバッテリー管理方法。
【発明の詳細な説明】
【技術分野】
【０００１】
本出願は２０１４年１０月１７日付韓国特許出願第１０−２０１４−０１４０５５７号に基づいた優先権の利益を主張し、該韓国特許出願の文献に開示された全ての内容は本明細書の一部として含まれる。
【０００２】
本発明は、バッテリー管理項目の識別コード割当装置、バッテリー管理項目の順序化装置およびそれを用いたバッテリー管理方法に関し、より詳しくは、バッテリー管理のための複数のバッテリー管理項目ごとに固有識別コードを割り当て、複数のバッテリー管理項目が属したグループの固有識別情報および複数のバッテリー管理項目の周期のうち１つ以上を用いて周期職別情報を割り当て、複数のバッテリー管理項目間の従属関係に対応して従属識別コードを割り当てるバッテリー管理項目の識別コード割当装置、バッテリー管理項目の順序化装置およびそれを用いたバッテリー管理方法に関する。また、本発明は、複数のバッテリー管理項目ごとに割り当てられた従属識別コードを比較して複数のバッテリー管理項目間の遂行順序を順序化するバッテリー管理項目の識別コード割当装置、バッテリー管理項目の順序化装置およびそれを用いたバッテリー管理方法に関する。
【背景技術】
【０００３】
最近、化石エネルギーの枯渇と化石エネルギーの使用による環境汚染のため、二次電池バッテリーを用いて駆動できる電気製品に対する関心が高まっている。そのため、モバイル機器、電気車両（Ｅｌｅｃｔｒｉｃ  Ｖｅｈｉｃｌｅ；ＥＶ）、ハイブリッド車両（Ｈｙｂｒｉｄ  Ｖｅｈｉｃｌｅ；ＨＶ）、エネルギー貯蔵システム（Ｅｎｅｒｇｙ  Ｓｔｏｒａｇｅ  Ｓｙｓｔｅｍ；ＥＳＳ）および無停電電源装置（Ｕｎｉｎｔｅｒｒｕｐｔｉｂｌｅ  Ｐｏｗｅｒ  Ｓｕｐｐｌｙ；ＵＰＳ）などに対する技術開発と需要が増加するに伴い、エネルギー源としての二次電池バッテリーの需要が急激に増加している。
【０００４】
このような二次電池バッテリーは、化石エネルギーの使用を画期的に減少できるという一次的な長所だけでなく、エネルギーの使用による副産物が全く発生しないという点で、環境に優しくエネルギー効率性の向上のための新しいエネルギー源として注目されている。
【０００５】
このようなバッテリーの需要および使用量の増加によってバッテリーに対する研究開発が活発に行われており、特にバッテリーの性能をテストしたりバッテリーの性能を一定に管理したりするために、バッテリーの電圧、電流および温度などを測定し、測定結果に基づいてバッテリーの異常有無を診断するバッテリー管理システムに対する研究開発が行われている。
【０００６】
しかし、従来のバッテリー管理システムは、単にバッテリーの状態を測定するステップおよびバッテリーの異常有無を診断するステップとの間に先決条件を決定し、決定された条件に応じて上述したステップを順に行うことに過ぎるため、各ステップ間の関連性および遂行周期を考慮できないという問題点がある。
【０００７】
そこで、本発明者は、バッテリー管理のための複数のバッテリー管理項目ごとに固有識別コードを割り当て、複数のバッテリー管理項目が属したグループの固有識別情報および複数のバッテリー管理項目の周期のうち１つ以上を用いて周期職別情報を割り当て、複数のバッテリー管理項目間の従属関係に対応して従属識別コードを割り当てるだけでなく、複数のバッテリー管理項目ごとに割り当てられた従属識別コードを比較して複数のバッテリー管理項目間の遂行順序を順序化するバッテリー管理項目の識別コード割当装置、バッテリー管理項目の順序化装置およびそれを用いたバッテリー管理方法を発明するに至った。
【発明の概要】
【発明が解決しようとする課題】
【０００８】
本発明は、上述した問題点を解決するために導き出されたものであり、本発明の目的は、複数のバッテリー管理項目が属したグループの固有識別情報および複数のバッテリー管理項目の周期のうち１つ以上を用いて割り当てられた周期識別情報および複数のバッテリー管理項目間の従属関係に対応して割り当てられた従属識別コードを比較して複数のバッテリー管理項目間の遂行順序を順序化することによって、バッテリー管理項目の周期と従属関係を考慮したバッテリー管理項目の遂行順序を定義できるバッテリー管理項目の識別コード割当装置、バッテリー管理項目の順序化装置およびそれを用いたバッテリー管理方法を提供することにある。
【課題を解決するための手段】
【０００９】
本発明の一実施形態によるバッテリー管理項目の識別コード割当装置は、複数のバッテリー管理項目ごとに固有識別コードを割り当てる固有識別コード割当部、前記複数のバッテリー管理項目の各々の周期に対応して前記複数のバッテリー管理項目ごとに周期識別コードを割り当てる周期識別コード割当部、および前記複数のバッテリー管理項目間の従属関係に対応して前記複数のバッテリー管理項目ごとに従属識別コードを割り当てる従属識別コード割当部を含んで構成される。
【００１０】
前記従属識別コード割当部は、前記複数のバッテリー管理項目のうち第２バッテリー管理項目が第１バッテリー管理項目に従属する場合、第１バッテリー管理項目の固有識別コードを第２バッテリー管理項目の従属識別コードに割り当ててもよい。
【００１１】
前記複数のバッテリー管理項目は、バッテリーの状態を測定するバッテリー状態測定項目または前記バッテリーの状態の異常有無を診断するバッテリー状態診断項目であってもよい。
【００１２】
前記バッテリー管理項目の識別コード割当装置は、前記複数のバッテリー管理項目の周期に応じて前記複数のバッテリー管理項目をグループ化するグルーピング部をさらに含んでもよい。
前記グルーピング部は、前記バッテリー状態測定項目と前記バッテリー状態診断項目を互いに異なるグループにグループ化してもよい。
【００１３】
前記周期識別コード割当部は、前記グループの固有識別コードおよび前記複数のバッテリー管理項目の周期のうち１つ以上を用いて前記複数のバッテリー管理項目ごとに周期識別コードを割り当ててもよい。
【００１４】
本発明の他の実施形態によるバッテリー管理項目の順序化装置は、複数のバッテリー管理項目ごとに固有識別コードを割り当てる固有識別コード割当部、前記複数のバッテリー管理項目の各々の周期に対応して前記複数のバッテリー管理項目ごとに周期識別コードを割り当てる周期識別コード割当部、前記複数のバッテリー管理項目間の従属関係に対応して前記複数のバッテリー管理項目ごとに従属識別コードを割り当てる従属識別コード割当部、および前記固有識別コードと前記従属識別コードを比較して前記複数のバッテリー管理項目の遂行順序を順序化する設定部を含んで構成される。
【００１５】
前記従属識別コード割当部は、前記複数のバッテリー管理項目のうち第２バッテリー管理項目が第１バッテリー管理項目に従属する場合、前記第１バッテリー管理項目の固有識別コードを前記第２バッテリー管理項目の従属識別コードに割り当ててもよい。
【００１６】
前記設定部は、前記複数のバッテリー管理項目のうち第１バッテリー管理項目の固有識別コードと第２バッテリー管理項目の従属識別コードを比較し、比較結果値が同一である場合、第１バッテリー管理項目を第２バッテリー管理項目より先に遂行するように順序化してもよい。
【００１７】
前記設定部は、前記第１バッテリー管理項目の固有識別コードと前記第２バッテリー管理項目の従属識別コードを比較した比較結果値が同一でない場合、前記第２バッテリー管理項目の固有識別コードと前記第１バッテリー管理項目の従属識別コードを比較し、比較結果値が同一である場合、第２バッテリー管理項目を第１バッテリー管理項目より先に遂行するように順序化してもよい。
【００１８】
前記複数のバッテリー管理項目は、バッテリーの状態を測定するバッテリー状態測定項目または前記バッテリーの状態の異常有無を診断するバッテリー状態診断項目であっておよい。
【００１９】
前記バッテリー管理項目の順序化装置は、前記複数のバッテリー管理項目の周期に応じて前記複数のバッテリー管理項目をグループ化するグルーピング部をさらに含んでもよい。
前記グルーピング部は、前記バッテリー状態測定項目と前記バッテリー状態診断項目を互いに異なるグループにグループ化してもよい。
【００２０】
前記周期識別コード割当部は、前記グループの固有識別コードおよび前記複数のバッテリー管理項目の周期のうち１つ以上を用いて前記複数のバッテリー管理項目ごとに周期識別コードを割り当ててもよい。
【００２１】
本発明の一実施形態によるバッテリー管理方法は、固有識別コード割当部が複数のバッテリー管理項目ごとに固有識別コードを割り当てるステップ、周期識別コード割当部が前記複数のバッテリー管理項目の各々の周期に対応して前記複数のバッテリー管理項目ごとに周期識別コードを割り当てるステップ、および従属識別コード割当部が前記複数のバッテリー管理項目間の従属関係に対応して前記複数のバッテリー管理項目ごとに従属識別コードを割り当てるステップを含んで構成される。
【００２２】
前記従属識別コードを割り当てるステップは、前記複数のバッテリー管理項目のうち第２バッテリー管理項目が第１バッテリー管理項目に従属する場合、前記従属識別コード割当部が第１バッテリー管理項目の固有識別コードを第２バッテリー管理項目の従属識別コードに割り当てるステップを含んでもよい。
【００２３】
前記複数のバッテリー管理項目は、バッテリーの状態を測定するバッテリー状態測定項目または前記バッテリーの状態の異常有無を診断するバッテリー状態診断項目であってもよい。
【００２４】
前記バッテリー管理方法は、グルーピング部が前記複数のバッテリー管理項目の周期に応じて前記複数のバッテリー管理項目をグループ化するステップをさらに含んでもよい。
【００２５】
前記グループ化するステップは、前記グルーピング部が前記バッテリー状態測定項目と前記バッテリー状態診断項目を互いに異なるグループにグループ化するステップを含んでもよい。
【００２６】
前記周期識別コードを割り当てるステップは、前記周期識別コード割当部が前記グループの固有識別コードおよび前記複数のバッテリー管理項目の周期のうち１つ以上を用いて前記複数のバッテリー管理項目ごとに周期識別コードを割り当てるステップを含んでもよい。
【００２７】
前記バッテリー管理方法は、設定部が前記固有識別コードと前記従属識別コードを比較して前記複数のバッテリー管理項目の遂行順序を順序化するステップをさらに含んでもよい。
【００２８】
前記順序化するステップは、前記設定部が、前記複数のバッテリー管理項目のうち第１バッテリー管理項目の固有識別コードと第２バッテリー管理項目の従属識別コードを比較し、比較結果値が同一である場合、第１バッテリー管理項目を第２バッテリー管理項目より先に遂行するように順序化するステップを含んでもよい。
【００２９】
前記順序化するステップ、前記設定部が、前記第１バッテリー管理項目の固有識別コードと前記第２バッテリー管理項目の従属識別コードを比較した比較結果値が同一でない場合、前記第２バッテリー管理項目の固有識別コードと前記第１バッテリー管理項目の従属識別コードを比較し、比較結果値が同一である場合、第２バッテリー管理項目を第１バッテリー管理項目より先に遂行するように順序化するステップをさらに含んでもよい。
【発明の効果】
【００３０】
本発明の一実施形態によるバッテリー管理項目の識別コード割当装置、バッテリー管理項目の順序化装置およびそれを用いたバッテリー管理方法は、バッテリー管理項目の周期と従属関係を考慮してバッテリー管理項目を順序化することによって、バッテリー状態の測定および診断結果に対する信頼度および有効性を向上させるという効果を有する。
【図面の簡単な説明】
【００３１】
【図１】本発明の一実施形態によるバッテリー管理項目の識別コード割当装置の構成を示すブロック図である。
【図２】本発明の他の実施形態によるバッテリー管理項目の順序化装置の構成を示すブロック図である。
【図３】グループ化された複数のバッテリー管理項目の一例を示す図である。
【図４】本発明の一実施形態によるバッテリー管理項目の識別コード割当装置が複数のバッテリー管理項目に識別コードを割り当てる順序を示すフローチャートである。
【図５】本発明の他の実施形態によるバッテリー管理項目の順序化装置が複数のバッテリー管理項目を順序化する順序を示すフローチャートである。
【発明を実施するための形態】
【００３２】
本発明を添付された図面を参照して詳細に説明すれば次の通りである。ここで、繰り返される説明、本発明の要旨を不要に濁す恐れのある公知機能、および構成に関する詳細な説明は省略する。本発明の実施形態は、当業界で平均的な知識を有する者に本発明をより完全に説明するために提供されるものである。よって、図面での要素の形状および大きさなどはより明確な説明のために誇張されてもよい。
【００３３】
明細書の全体にかけて、ある部分がある構成要素を「含む」とする時、これは、特に反対の記載がない限り、他の構成要素を除くものではなく、他の構成要素をさらに含むことができることを意味する。
【００３４】
また、明細書に記載された「．．．部」という用語は１つ以上の機能や動作を処理する単位を意味し、これは、ハードウェアやソフトウェアまたはハードウェアおよびソフトウェアの結合で実現されることができる。
【００３５】
図１は本発明の一実施形態によるバッテリー管理項目の識別コード割当装置の構成を示すブロック図であり、図３はグループ化された複数のバッテリー管理項目の一例を示す図である。
【００３６】
図１を参照すれば、バッテリー管理項目の識別コード割当装置１００は、固有識別コード割当部１１０、グルーピング部１２０、周期識別コード割当部１３０および従属識別コード割当部１４０を含んで構成されることができる。図１に示されたバッテリー管理項目の識別コード割当装置１００は一実施形態によるものであり、その構成要素が図１に示された実施形態に限定されるものではなく、必要に応じて付加、変更または削除できる。
【００３７】
固有識別コード割当部１１０は、複数のバッテリー管理項目の各々に割り当てられた固有情報に基づいて、複数のバッテリー管理項目に対して固有識別コードを割り当てる役割を果たす。この時、固有識別コードは、複数のバッテリー管理項目の各々に割り当てられた固有情報のビット数より少ないビット数を有するように割り当てられることができる。
【００３８】
ここで、複数のバッテリー管理項目の各々に割り当てられた固有情報はバッテリー管理項目の種類または周期に応じて互いに異なってもよく、上述したバッテリー管理項目の種類はバッテリー状態測定項目またはバッテリー状態診断項目であってもよい。
【００３９】
バッテリー状態測定項目は、バッテリーおよびバッテリーと接続された回路から電圧、電流および温度などのような物理量を測定するバッテリー管理項目であってもよい。例えば、バッテリー状態測定項目は、ＡＤＣ（ａｎａｌｏｇ−ｄｉｇｉｔａｌ  ｃｏｎｖｅｒｔｅｒ）基準電圧測定項目、バッテリーモジュール温度測定項目およびバッテリーセル電圧測定項目であってもよい。
【００４０】
バッテリー状態診断項目は、バッテリー状態測定項目から測定されたデータに基づいてバッテリーの状態を診断するバッテリー管理項目であってもよい。例えば、バッテリー状態診断項目は、バッテリーセルバランス回路診断項目、バッテリーセル電圧偏差診断項目、バッテリーＳＯＣ（ｓｔａｔｅ  ｏｆ  ｃｈａｒｇｅ）診断項目、バッテリーモジュール温度偏差診断項目および温度センサ診断項目であってもよい。
【００４１】
バッテリー管理項目の周期はバッテリー管理項目が行われる周期であって、バッテリー管理項目の種類に応じて互いに異なってもよく、リアルタイムでバッテリーおよびバッテリーと接続された回路の電圧、電流、および温度を測定しなければならないバッテリー状態測定項目の特性およびバッテリー状態測定項目から測定されたデータに基づいてバッテリーの状態を診断するバッテリー状態診断項目の特性により、バッテリー状態診断項目の周期がバッテリー状態測定項目の周期より長くてもよい。
【００４２】
グルーピング部１２０は、複数のバッテリー管理項目の各々の周期に応じて複数のバッテリー管理項目をグループ化する役割を果たす。また、グルーピング部１２０は、互いに異なる種類のバッテリー管理項目を互いに異なるグループにグループ化することができる。
【００４３】
より具体的に、グルーピング部１２０は、複数のバッテリー管理項目のうちバッテリー管理項目の種類および周期が同一なバッテリー管理項目同士でグループ化することができ、グループ化されたバッテリー管理項目の種類または周期に基づいてグループの固有識別コードを割り当てることができる。
図３を参照してグルーピング部１２０が複数のバッテリー管理項目をグループ化する過程について説明する。
【００４４】
図３を参照すれば、グルーピング部１２０は、バッテリー管理項目の種類および周期がバッテリー状態測定項目および１００ｍｓとして同一なＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）のＡＤＣ基準電圧測定項目３０１、ＡＵＸ電圧測定項目３０２およびＭＣＵ（ｍｉｃｒｏ  ｃｏｎｔｒｏｌｌｅｒ  ｕｎｉｔ）のＡＤＣ基準電圧測定項目３０３をＬ１グループにグループ化することができ、グループ化されたバッテリー管理項目の周期に基づいてグループの固有識別コードを「１」に割り当てることができる。また、グルーピング部１２０は、グループの固有識別コードにグループ名Ｌ１に基づいて「１」を追加して割り当てることができる。
【００４５】
Ｌ１グループをグループ化した過程と同様に、グルーピング部１２０は、バッテリー管理項目の種類および周期がバッテリー状態測定項目および２００ｍｓとして同一なバッテリーセル電圧測定項目３０４およびバッテリーモジュール温度測定項目３０５をＬ２グループにグループ化し、グループの固有識別コードを「２，２」に割り当てることができる。
【００４６】
次に、グルーピング部１２０は、バッテリー管理項目の種類および周期がバッテリー状態診断項目および４００ｍｓとして同一な、バスバー締結性診断項目３０６、バッテリーセル電圧偏差診断項目３０７およびバッテリーセルバランス回路診断項目３０８をＬ３グループにグループ化し、グループの固有識別コードを「３，４」に割り当てることができ、バッテリーＳＯＣ診断項目３０９、バッテリーセル出力退化診断項目３１０、バッテリーモジュール温度偏差診断項目３１１および温度センサ診断項目３１２もバッテリー管理項目の種類および周期がバッテリー状態診断項目および１０００ｍｓとして同一であるため、グルーピング部１２０は、Ｌ４グループにグループ化した後、グループの固有識別コードを「４，１０」に割り当てることができる。
図１を参照して周期識別コード割当部１３０について説明する。
【００４７】
周期識別コード割当部１３０は、バッテリー管理項目がグループ化されたグループの固有識別コードおよびバッテリー管理項目の周期のうち１つ以上を用いて複数のバッテリー管理項目ごとに周期識別コードを割り当てる役割を果たす。
【００４８】
より具体的に、周期識別コード割当部１３０は、バッテリー管理項目の固有識別コードまたは該バッテリー管理項目が属したグループの固有識別コードの周期に関する情報を用いてバッテリー管理項目の周期識別コードを割り当てることができる。
【００４９】
例えば、バッテリー管理項目の周期が１０００ｍｓであり、該バッテリー管理項目が属したＬ４グループの固有識別コードが「４，１０」である場合、周期識別コード割当部１３０は、グループの固有識別コード「４，１０」を用いてバッテリー管理項目の周期識別コードを「１０」に割り当てることができる。
また、周期識別コード割当部１３０は、複数のバッテリー管理項目が属したグループの固有識別コードをテーブル化して格納することができる。
【００５０】
例えば、グループＬ１、Ｌ２、Ｌ３およびＬ４グループの固有識別コードが「１，１」、「２，２」、「３，４」および「４，１０」に割り当てられた場合、下記の行列のように各グループの固有識別コードをテーブル化して格納することができる。
［１，１］  ［２，２］  ［３，４］  ［４，１０］
【００５１】
従属識別コード割当部１４０は、複数のバッテリー管理項目間の従属関係に対応して複数のバッテリー管理項目ごとに従属識別コードを割り当てる役割を果たす。
【００５２】
より具体的に、従属識別コード割当部１４０は、複数のバッテリー管理項目のうち２つのバッテリー管理項目を各々第１および第２バッテリー管理項目に選別し、選別された第１および第２バッテリー管理項目間の従属関係を把握することができる。ここで、従属関係は、２つのバッテリー管理項目のうちいずれか１つのバッテリー管理項目が先行されてこそ、他の１つのバッテリー管理項目が遂行可能な関係を意味する。例えば、バッテリー温度偏差診断項目３１１は、バッテリーモジュール温度測定項目３０５が先行されてこそ行われるバッテリー管理項目であって、バッテリー温度偏差診断項目３１１がバッテリーモジュール温度測定項目３０５に従属する従属関係であってもよい。
【００５３】
次に、従属識別コード割当部１４０は、複数のバッテリー管理項目のうち選別された第１および第２バッテリー管理項目間の従属関係を把握した結果、第２バッテリー管理項目が第１バッテリー管理項目に従属する場合、第１バッテリー管理項目の固有識別コードを第２バッテリー管理項目の従属識別コードに割り当てることができ、逆に、第１バッテリー管理項目が第２バッテリー管理項目に従属する場合、第２バッテリー管理項目の固有識別コードを第１バッテリー管理項目の従属識別コードに割り当てることができる。
【００５４】
また、従属識別コード割当部１４０は、第１および第２バッテリー管理項目が互いに従属関係が成立しない場合、複数のバッテリー管理項目のうち新しい第１および第２バッテリー管理項目を選別して上述した過程を繰り返し行うことができる。それにより、従属識別コード割当部１４０は、全ての複数のバッテリー管理項目間の従属関係を把握して従属識別コードを割り当てることができる。
【００５５】
例えば、バッテリーモジュール温度測定項目３０５およびバッテリー温度偏差診断項目３１１の各々の固有識別コードが「３０５」および「３１１」であり、バッテリー温度偏差診断項目３１１がバッテリーモジュール温度測定項目３０５に従属する従属関係である場合、従属識別コード割当部１４０は、モジュール温度測定項目３０５の固有識別コード「３０５」をバッテリー温度偏差診断項目３１１の従属識別コードに割り当てることができる。
次に、図２および図３を参照して本発明の一実施形態によるバッテリー管理項目の順序化装置１００’について説明する。
【００５６】
図２は本発明の他の実施形態によるバッテリー管理項目の順序化装置の構成を示すブロック図であり、図３はグループ化された複数のバッテリー管理項目の一例を示す図である。
【００５７】
図２を参照すれば、バッテリー管理項目の順序化装置１００’は、固有識別コード割当部１１０、グルーピング部１２０、周期識別コード割当部１３０、従属識別コード１４０および設定部１５０を含んで構成されることができる。図２に示されたバッテリー管理項目の順序化装置１００’は他の実施形態によるものであり、その構成要素が図２に示された実施形態に限定されるものではなく、必要に応じて付加、変更または削除できる。
【００５８】
本発明の一実施形態によるバッテリー管理項目の識別コード割当装置１００は、本発明の他の実施形態によるバッテリー管理項目の順序化装置１００’と比較した時、固有識別コード割当部１１０、グルーピング部１２０、周期識別コード割当部１３０、従属識別コード１４０が同一な構成および役割を果たすので、それに関する説明は省略する。
設定部１５０は、複数のバッテリー管理項目の固有識別コードと従属識別コードを比較して複数のバッテリー管理項目の遂行順序を順序化する役割を果たす。
【００５９】
より具体的に、設定部１５０は、複数のバッテリー管理項目のうち２つのバッテリー管理項目を各々第１および第２バッテリー管理項目に選別して第１バッテリー管理項目の固有識別コードと第２バッテリー管理項目の従属識別コードを比較し、比較結果値が同一である場合、第１バッテリー管理項目を第２バッテリー管理項目より先に遂行するように順序化することができる。
【００６０】
仮に、第１バッテリー管理項目の固有識別コードと第２バッテリー管理項目の従属識別コードの比較結果値が同一でない場合、設定部１５０は、第２バッテリー管理項目の固有識別コードと第１バッテリー管理項目の従属識別コードを比較し、比較結果値が同一である場合、第２バッテリー管理項目を第１バッテリー管理項目より先に遂行するように順序化することができる。
【００６１】
また、設定部１５０は、第１バッテリー管理項目の固有識別コードと第２バッテリー管理項目の従属識別コードが同一ではなく、第２バッテリー管理項目の固有識別コードと第１バッテリー管理項目の従属識別コードも同一でない場合、設定部１５０は、第１および第２バッテリー管理項目間の遂行順序を順序化せず、複数のバッテリー管理項目のうち新しい第１および第２バッテリー管理項目を選別して上述した過程を繰り返し行うことができる。それにより、設定部１５０は、複数のバッテリー管理項目のうち遂行順序の先後関係が成立するバッテリー管理項目間の遂行順序を順序化することができる。
【００６２】
例えば、バッテリーモジュール温度測定項目３０５およびバッテリー温度偏差診断項目３１１の各々の固有識別コードが「３０５」および「３１１」であり、各々の従属識別コードが「３０３」および「３０５」である場合、設定部１５０は、バッテリーモジュール温度測定項目３０５をバッテリー温度偏差診断項目３１１より先に遂行するように順序化することができる。
【００６３】
図４は、本発明の一実施形態によるバッテリー管理項目の識別コード割当装置が複数のバッテリー管理項目に識別コードを割り当てる順序を示すフローチャートである。
【００６４】
図４を参照すれば、固有識別コード割当部は、複数のバッテリー管理項目の各々に割り当てられた固有情報に基づいて複数のバッテリー管理項目に対して固有識別コードを割り当てる（Ｓ４０１）。
ここで、複数のバッテリー管理項目の各々に割り当てられた固有情報はバッテリー管理項目の種類または周期であってもよい。
次に、グルーピング部は、複数のバッテリー管理項目の各々の周期に応じて複数のバッテリー管理項目をグループ化する（Ｓ４０２）。
【００６５】
より具体的に、グルーピング部は、複数のバッテリー管理項目のうちバッテリー管理項目の種類および周期が同一なバッテリー管理項目同士でグループ化し、グループ化されたバッテリー管理項目の種類または周期に基づいてグループの固有識別コードを割り当てる。
【００６６】
その後、従属識別コード割当部は、複数のバッテリー管理項目のうち２つのバッテリー管理項目を各々第１および第２バッテリー管理項目に選別し（Ｓ４０３）、第１および第２バッテリー管理項目間の従属関係を把握する（Ｓ４０４）。
【００６７】
従属識別コード割当部は、第１バッテリー管理項目が第２バッテリー管理項目に従属する場合（Ｓ４０５）、第２バッテリー管理項目の固有識別コードを第１バッテリー管理項目の従属識別コードに割り当てる（Ｓ４０６）。
【００６８】
逆に、第１バッテリー管理項目が第２バッテリー管理項目に従属せず（Ｓ４０５）、第２バッテリー管理項目が第１バッテリー管理項目に従属する場合（Ｓ４０７）、従属識別コード割当部は、第１バッテリー管理項目の固有識別コードを第２バッテリー管理項目の従属識別コードに割り当てる（Ｓ４０８）。
【００６９】
一方、従属識別コード割当部は、第１および第２バッテリー管理項目が従属関係が成立しない場合（Ｓ４０７）、Ｓ４０３ステップに戻り、複数のバッテリー管理項目のうち新しい第１および第２バッテリー管理項目を選別する。
それにより、全ての複数のバッテリー管理項目間の従属関係を把握して従属識別コードを割り当てることができる。
【００７０】
次に、周期識別コード割当部は、バッテリー管理項目がグループ化されたグループの固有識別コードおよびバッテリー管理項目の周期のうち１つ以上を用いて複数のバッテリー管理項目ごとに周期識別コードを割り当てる（Ｓ４０９）。
図５は、本発明の他の実施形態によるバッテリー管理項目の順序化装置が複数のバッテリー管理項目を順序化する順序を示すフローチャートである。
【００７１】
本発明の他の実施形態によるバッテリー管理項目の順序化装置は、先ず、複数のバッテリー管理項目に識別コードを割り当て、割り当てられた識別コードを用いて複数のバッテリー管理項目を順序化する。よって、他の実施形態によるバッテリー管理項目の順序化装置が複数のバッテリー管理項目を順序化する順序のうち複数のバッテリー管理項目に識別コードを割り当てるまでの順序は、一実施形態によるバッテリー管理項目の識別コード割当装置が複数のバッテリー管理項目に識別コードを割り当てる順序と同一であるので重複する説明は省略する。
【００７２】
図５を参照すれば、設定部は、複数のバッテリー管理項目のうち２つのバッテリー管理項目を各々第１および第２バッテリー管理項目に選別し（Ｓ５０１）、第１および第２バッテリー管理項目の固有識別コードと従属識別コードを比較する（Ｓ５０２）。
【００７３】
設定部は、第１バッテリー管理項目の固有識別コードと第２バッテリー管理項目の従属識別コードが同一である場合（Ｓ５０３）、第１バッテリー管理項目を第２バッテリー管理項目より先に遂行するように順序化する（Ｓ５０４）。
【００７４】
逆に、第１バッテリー管理項目の固有識別コードと第２バッテリー管理項目の従属識別コードが同一ではなく（Ｓ５０３）、第２バッテリー管理項目の固有識別コードと第１バッテリー管理項目の従属識別コードが同一である場合（Ｓ５０５）、設定部は、第２バッテリー管理項目を第１バッテリー管理項目より先に遂行するように順序化する（Ｓ５０６）。
【００７５】
一方、設定部は、第１および第２バッテリー管理項目の固有識別コードと従属識別コードが同一でない場合（Ｓ５０５）、Ｓ５０１ステップに戻り、複数のバッテリー管理項目のうち新しい第１および第２バッテリー管理項目を選別する。
それにより、複数のバッテリー管理項目のうち遂行順序の先後関係が成立するバッテリー管理項目間の遂行順序を順序化することができる。
【００７６】
上記では本発明の好ましい実施形態を参照して説明したが、該技術分野の熟練した当業者であれば、下記の特許請求の範囲に記載された本発明の思想および領域から逸脱しない範囲内で本発明を多様に修正および変更できることを理解することができるであろう。
【図１】
0006571755.tif 000002
【図２】
0006571755.tif 000003
【図３】
0006571755.tif 000004
【図４】
0006571755.tif 000005
【図５】
0006571755.tif 000006